(57)【要約】      （修正有）【課題】  脇当て部を備えた歩行用補助杖の脇当て部に関し、脇当て部を挟む腕と体の部分の痛みを和らげ、衛生上もしくは、気分的に人の使用したものに対しての抵抗感を解消する為のカバーマットを提供することを目的とする。【解決手段】  低反発弾性を有する素材１１で形成され、歩行用補助杖の脇当て部３０に着脱自在に被覆することを特徴とする歩行用補助杖のカバーマット１０を発明した。さらに、歩行用補助杖の脇当て部３０に着脱自在に被覆するため、低反発弾性を有する素材１１に切り込みを入れたことを特徴とするカバーマット１０から構成される。【選択図】  図１８
2007061640.tif 000002
【特許請求の範囲】
【請求項１】
低反発弾性を有する素材を用い、歩行用補助杖の脇当て部に着脱自在に被覆できるように形成したことを特徴とする歩行用補助杖のカバーマット。
【請求項２】
低反発弾性を有する素材に切り込みを入れたことを特徴とする請求項１に記載のカバーマット。
【請求項３】
歩行用補助杖の脇当て部および/または竿に着脱自在に固定する固定具を有する覆い体もしくは包み体もしくは袋体で、脇当て部にフィットするように形成した低反発弾性を有する素材もしくは請求項１または請求項２に記載のカバーマットを被覆したことを特徴とするカバーマットセット。
【請求項４】
請求項１もしくは請求項２に記載のカバーマット、もしくは請求項3に記載のカバーマットセットを備えたことを特徴とする歩行用補助杖。
【発明の詳細な説明】
【技術分野】
【０００１】
本発明は松葉杖やアンダーアーム・クラッチ等脇当て部を供えた歩行用補助杖の脇当て部に着脱自在に被覆するカバーマットに関するものである。
【背景技術】
【０００２】
従来の技術、通常の松葉杖やアンダーアーム・クラッチ等脇当て部を備えた歩行用補助杖では、グリップへ体重をかける際に、脇当て部を脇の下で挾むようになっている。このような杖では、脇の部分にはクッション弾力性のある脇当て部を固定している。しかし挾み込む動作のために脇当部を挟む腕と体の部分に、痛みを伴うこともあり、その痛みを和らげるために脇当て部にタオルや包帯を巻いたりしているが着脱に手間がかかり、また解けてきたり不安定である。またこの脇の痛みを軽減するために、上腕を抱くような曲線の脇当部を備えた身体障害者用の特殊な杖も提案されている。（特許文献１、２参照）しかし、利用者ごとの体形の違いに完全にフィットさせるには、利用者ごとの体型に合わせて、個別に脇当て部を作成する必要がある。
【０００３】
また松葉杖の脇当て部用のカバ−具及び高さ調節装置として袋体状のエヤ・クッションを利用したものが提案されている。（特許文献３参照）しかし、袋体状のエヤ・クッションでは脇当て部用のカバ−具の取付け作業以外に空気を圧入して袋体状のエヤ・クッションを膨らませる必要があり不便で、またエヤ・クッションでは脇に当てたとき脇にぴったりと馴染まず、通気性も悪く、感触もごわごわしてよくない。一方で一般的に松葉杖やアンダーアーム・クラッチ等脇当て部を備えた歩行用補助杖は、病院等から患者に貸し出され使用することが多い。この場合衛生上もしくは、感覚的に人の使用したものに対しての抵抗があり、それらの理由にても脇当て部に利用者の専用のタオルや包帯等を巻いたりして使用しているが着脱に手間がかかり、また解けてきたり不安定である。
【０００４】
【特許文献１】特許第２７４６７９９号公報
【特許文献２】特許第２６６５４４８号公報
【特許文献３】実用登録第３０１３５１２号公報
【特許文献４】特開２００６−２００１１８号公報
【発明の開示】
【発明が解決しようとする課題】
【０００５】
上記脇当て部を備えた歩行用補助杖の脇当て部を挟む腕と体の接触部分の痛みを和らげ、衛生上もしくは、気分的に人の使用したものに対しての抵抗感を解消する為に、容易に着脱交換可能で、利用者が専用できるカバーマットを提供することを目的とする。
【課題を解決するための手段】
【０００６】
上記課題を解決するために、低反発弾性を有する素材で形成され、歩行用補助杖の脇当て部に着脱自在に被覆することを特徴とする歩行用補助杖のカバーマットを発明した。さらに、歩行用補助杖の脇当て部に着脱自在に被覆するため、低反発弾性を有する素材に切り込みを入れたことを特徴とするカバーマットを提案する。
【発明の効果】
【０００７】
以上の説明より、上記脇当て部を備えた歩行用補助杖に於いて、本発明のカバーマットにより、利用者が自分専用のカバーマットを使用し、脇当て部に接する腕と体の部分の痛みを和らげ、衛生上もしくは、感覚的に人の使用したものに対しての抵抗感をなくすことが出来るようになった。
【発明を実施するための最良の形態】
【０００８】
以下、本発明の実施の形態について説明する。
【実施例１】
【０００９】
まず、本発明に共通して使用する低反発弾性を有する素材に関し説明する。すなわち、低反発弾性フォームもしくはエラストマーを含むクッション材を用いると、圧縮したのちに外力を取り除いた際、ゆっくりと元に戻る性質がえられる。これで歩行用補助杖の脇当て部を被覆すると、軽くて、衝撃吸収性、制振性、体圧分散性に優れ、一定荷重時の低反発弾性を有する素材の応力が荷重部分で分散され、局部的な圧力がかからないという性能がえられる。これにより脇部分と脇当て部の形や動きにフィットしながら、上記低反発弾性を有する素材の形状が変化して体圧が局部に集中せずに分散し、局部的な圧迫が少なく腫れや痛み、血流阻害の防止に効果的である。
【００１０】
上記低反発弾性を有する素材に関して、代表的にはポリウレタンフォームもしくはエラストマーを含むクッション材が知られている。これは低反発弾性フォームもしくはエラストマーは低反発フォームもしくはエラストマーとも言われ、「弾性」を抑え「粘性」を上げたフォームフォームもしくはエラストマーで、ヒステリシスロス率（JIS K 6400-2）の大きい衝撃吸収性の特性も有している。気泡が連通し、圧縮したのちに外力を取り除いた際、ゆっくりと元に戻る性質があり、一般には反発弾性率が１５％程度以下（JIS K 6400-3）と非常に小さい特徴を有しているが、反発弾性率が１〜２０％程度のものが使用可能である。枕や寝具、椅子等に用いられる比較的柔らかいものは感触が良いばかりで無く、局部的な圧迫が少なく体圧が全体に分散されるので血流阻害や床擦れ防止に効果的で、形状記憶、衝撃吸収性能や制振性能等々をもっている。
【００１１】
なお、この種の素材は低温域で硬くなる性質があるが、冬季など一般の生活水準にても硬さの変化が許容可能な分子設計となっている。ポリウレタンフォームもしくはエラストマーは、ウレタンフォームもしくはエラストマーの樹脂組成、すなわちポリオール成分およびポリイソシアネート化合物の種類を適宜選択して、所望の反発弾性率を有するポリウレタンフォームもしくはエラストマーを得るように処方されている。また、このような低反発弾性ポリウレタンフォームもしくはエラストマーに各種機能性を持たせるために、例えば抗菌剤、消臭剤、脱臭剤、香料等の機能性添加物を添加したものでもよい。
筋肉のコリや疲労を緩和させる効果があるといわれている物質例えば、ゲルマニウムやチタンなどを添加したものでもよい。また上記フォームもしくはエラストマー自体に通気性を持たせたものでもよい。またスチレン系、アクリル系、シリコン系、ポリプロピレン系、ブチル系、その他の低反発弾性低反発弾性を有する素材もしくはそれらを組み合わせたものでも良く、特に組成を限定しない。
【００１２】
また例として特許文献４に紹介されている「ソフト反発性を有する弾性網状構造体」や、特許文献４内の参考文献に記載の低反発弾性を有する種々の素材でもよい。また低反発弾性を有する素材は低反発弾性を有する素材と低反発弾性を有しない素材を2層以上に積層あるいは混合したものでもよい。また、脇に当る衝撃吸収力を補強強化する為にジェル状（ゼリー状）の衝撃吸収材を追加してもよい。
また上記低反発弾性を有する素材の内部に汗等の液体が浸透することなく、簡便に消毒が可能にするために、上記低反発弾性を有する素材のクッション性の動きにあわせてスムーズに追従するような合成樹脂フィルムを表面に積層したものでもよい。
【００１３】
請求項１に記載の、低反発弾性を有する素材で形成され、歩行用補助杖の脇当て部に着脱自在に被覆することを特徴とする歩行用補助杖のカバーマットに関し、以下に実施の形態について説明する。
【００１４】
本発明の歩行用補助杖の脇当て部用カバーマットに使用する上記低反発弾性を有する素材に関し、内部に脇当て部を被覆するため、脇当て部に応じた形状の空洞が出来るように、成形してもよい。歩行用補助杖の脇当て部に関して、通常松葉杖は脇当て部の下に２本の竿があり、アンダーアーム・クラッチは脇当て部の下に２本の竿のものと１本のものがあるが、被覆安定性を向上させるために脇当て部、またその竿の部分を被覆するように上記低反発弾性を有する素材を加工形成してもよい。
【００１５】
また、必要に応じてそれらの一部分のみ被覆するようにしても良い。上記空洞に脇当て部、またその竿の部分を着脱自在に挿入できるように、開口部を備えてもよい。この場合上記低反発弾性を有する素材はその特性上、さまざまな形状にフィットするので、上記空洞や開口部は脇当て部に対して、小さくても良く、一般的な脇当て部に幅広くフィットできる。また脇に当る衝撃吸収力を補強強化する為にジェル状（ゼリー状）の衝撃吸収材をカバーマット内部もしくは表面に追加してもよいし、適度な強度を持たせる為に１部分低反発弾性を有しない素材を混合あるいは積層してもよい。上記低反発弾性を有する素材のクッション性の動きにあわせてスムーズに追従するような皮膜を表面に積層してもよい。
【実施例２】
【００１６】
請求項２に記載の、歩行用補助杖の脇当て部に着脱自在に被覆するため、低反発弾性を有する素材に切り込みを入れたことを特徴とする請求項１に記載のカバーマットに関し、以下に実施の形態について説明する。
低反発弾性を有する素材は脇当て部の形にフィットするので、特に脇当て部や竿の部分に応じた形状の空洞を形成せずに、図３図４図と５図６に示すように上記カバーマットの竿の面（図では下部）から脇当て部の長尺方向に平行に切り込みをいれて形成してもよい。また低反発弾性を有する素材は人体接触部にフィットするので、外形は直方体や円筒もしくは、直方体の上部に半円筒を形成したものなどの単純な形状でよいが、人体接触部の形状に合わせて形成しても良いし、単に概観上のデザインとして種々の形状や、模様を描いてもよい。上記低反発弾性を有する素材に糸、ひも、ゴムひも、ベルト等の締め具および/またはボタン、面ファスナー、ファスナー、ホック、粘着テープ、接着剤等の止め具で歩行用補助杖の脇当て部および/または竿に固定してもよい。
【実施例３】
【００１７】
請求項３に記載の「歩行用補助杖の脇当て部および/または竿に着脱自在に固定する固定具を有する覆い体もしくは包み体もしくは袋体で、脇当て部にフィットするように形成した低反発弾性を有する素材もしくは請求項１または請求項２に記載のカバーマットを被覆したことを特徴とするカバーマットセット。」に関し、以下に実施の形態について説明する。
【００１８】
低反発弾性を有する素材の全体もしくは１部を被覆する覆い体もしくは包み体もしくは袋体で、歩行用補助杖の脇当て部を被覆する構造を備え、締め具もしくは止め具で覆い体もしくは包み体の重なり部もしくは両端部を接続し、実施例１もしくは２に示すカバーマットを、歩行用補助杖の脇当て部および/または竿に固定する構造を有する覆い体もしくは包み体もしくは袋体で、覆いもしくは包み歩行用補助杖の脇当て部および/または竿に固定する。例えば図７図８では覆い体もしくは包み体もしくは袋体２１でカバーマット１０を被覆し、２２に示す面ファスナーなどの固定具で脇当て部３０に固定している。
【００１９】
上記低反発弾性を有する素材１１を、覆い体もしくは包み体もしくは袋体で、脇当て部にフィットするように形成する例として、図１７には板状のものを中央で折り曲げた形状を示す。中央で折り曲げにより、脇当て部にフィットしやすくしている。また、図１３図１４で示すように覆い体もしくは包み体もしくは袋体を用いることにより上記低反発弾性を有する素材を脇当て部に強制的にフィットさせることが出来るので、中央で折り曲げた形状は必ずしも必要とせず単に板状のものでもよい。また覆い体もしくは包み体もしくは袋体を用いることにより、上記低反発弾性を有する素材は、複数に分割されたものも脇当て部に固定できる。このように上記低反発弾性を有する素材の全面もしくは１部を被覆する覆い体で、もしくは包み体もしくは袋体に入れて、上記脇当て部を被覆し、糸、ひも、ゴムひも、ベルト、テープ等の締め具および/またはボタン、面ファスナー、ファスナー、ホック、粘着テープ、接着剤等の止め具などの固定具２２で覆い体もしくは包み体もしくは袋体の両端部もしくは重なり部を接続してカバーマットを歩行用補助杖の脇当て部および/または竿に固定してもよい。またカバーマットの上からベルトや紐、テープ等の固定具で脇当て部および/または竿に縛り付けて固定しても良い。このように覆い体もしくは包み体もしくは袋体と固定具が兼用であっても良い。
【００２０】
上記低反発弾性を有する素材を脇当て部に被覆するための覆い体もしくは包み体もしくは袋体は、通気性、吸湿性、浸透性、防水性、ファッション性、肌触り等の目的に応じて、布、不織布、紙、レザー、皮革、合成皮革、ビニル、ゴム、合成樹脂、メッシュ、ウレタンフォーム、金属、上記低反発弾性を有する素材等の各種材料を選択すればよい。さらに各種機能性を持たせるために、例えば抗菌剤、消臭剤、脱臭剤、香料等の機能性添加物を添加したものでもよい。また、上記覆い体もしくは包み体もしくは袋体を、取り外し可能にすると、交換、洗濯、消毒可能である。
【００２１】
また使用中に上記カバーマットが上記覆い体もしくは包み体もしくは袋体からはみ出したりしないように、上記カバーマットと上記覆い体もしくは包み体もしくは袋体とを接着、縫合、溶着などにて1体に形成してもよい。
【実施例４】
【００２２】
請求項４に記載の、「請求項１もしくは請求項２に記載のカバーマット、もしくは請求項3に記載のカバーマットセットを備えたことを特徴とする歩行用補助杖。」に関し、以下に実施の形態について説明する。上記カバーマットもしくはカバーマットセットを上記歩行用補助杖に対し、全体としてのデザインや特性に合わせて、上記カバーマットもしくはカバーマットセットを作成し、脇当て部に最適にフィットさせて、コスト的、機能的に無駄なく脇当て部および/または竿に固定した杖を製作しても良い。覆い体もしくは包み体もしくは袋体のみが着脱自在にして、カバーマットは着脱自在でないものでも、覆い体もしくは包み体もしくは袋体を着脱し洗濯や交換可能である。
【図面の簡単な説明】
【００２３】
【図１】本発明のカバーマットを２本竿の脇当て部に装着した正面図である。
【図２】本発明のカバーマットを２本竿の脇当て部に装着した側面図である。
【図３】低反発弾性を有する素材に切り込みを入れた本発明のカバーマットの例を示す正面図
【図４】低反発弾性を有する素材に切り込みを入れた本発明のカバーマットの例を示す側面図
【図５】低反発弾性を有する素材に切り込みを入れた本発明のカバーマット（円筒状）の例を示す正面図
【図６】低反発弾性を有する素材に切り込みを入れた本発明のカバーマット（円筒状）の例を示す側面図
【図７】本発明のカバーマットセットを２本竿の脇当て部に装着した正面図である。
【図８】本発明のカバーマットセットを２本竿の脇当て部に装着した側面図である。
【図９】低反発弾性を有する素材に切り込みを入れた本発明のカバーマットセットの例を示す正面図
【図１０】低反発弾性を有する素材に切り込みを入れた本発明のカバーマットセットの例を示す側面図である。
【図１１】低反発弾性を有する素材に切り込みを入れた本発明のカバーマットセットで円筒状の例を示す正面図である。
【図１２】低反発弾性を有する素材に切り込みを入れた、本発明のカバーマットセットで円筒状の例を示す側面図である。
【図１３】本発明のカバーマットセットを１本竿の脇当て部に装着した正面図である。
【図１４】本発明のカバーマットセットを１本竿の脇当て部に装着した側面図である。
【図１５】覆い体もしくは包み体もしくは袋体の固定具に紐を用いた例
【図１６】覆い体もしくは包み体もしくは袋体の固定具に面ファスナーを用いた例
【図１７】脇当て部にフィットするように形成した低反発弾性を有する素材の例を示す斜視図
【図１８】本発明のカバーマットセットが脇部にフィットした状態を示す図である。
【符号の説明】
【００２４】
１０  カバーマット
１１  低反発弾性を有する素材
１２  切り込み
２０  カバーマットセット
２１  覆い体もしくは包み体もしくは袋体
２２  固定具
３０  脇当て部
３１  竿
４０  腕
４１  胴
【図１】
2007061640.tif 000003
【図２】
2007061640.tif 000004
【図３】
2007061640.tif 000005
【図４】
2007061640.tif 000006
【図５】
2007061640.tif 000007
【図６】
2007061640.tif 000008
【図７】
2007061640.tif 000009
【図８】
2007061640.tif 000010
【図９】
2007061640.tif 000011
【図１０】
2007061640.tif 000012
【図１１】
2007061640.tif 000013
【図１２】
2007061640.tif 000014
【図１３】
2007061640.tif 000015
【図１４】
2007061640.tif 000016
【図１５】
2007061640.tif 000017
【図１６】
2007061640.tif 000018
【図１７】
2007061640.tif 000019
【図１８】
2007061640.tif 000020